(57)【要約】【課題】画像形成装置本体内からの騒音や臭気が機外に漏れる量を低減する追加のカバー部材を設置する。【解決手段】ベース部材３００と、画像形成装置本体１１０の外装面から離間して設けられる縦壁部材４００、５００、６００とからなるカバー部材２００を備える。ベース部材は、画像形成装置本体の配置位置を設定する複数の位置決めリブ部材３３０を備え、縦壁部材４００、５００、６００は、装置本体の外装面との間に画像形成装置本体の排気ルーバー１２１、１２２、１２３からの排気を案内する排気流路７１０、７２０、７３０、７４０を形成する排気流路リブ部材４２１…、５２１…、６２１…と、排気ダクト７５０と、排気ルーバー１２３からの排気を排気部から放出するファンを設置する排気ファン設置部７６０と、吸気ダクト８１０から吸気ルーバー１２４、１２５に外気を案内する吸気流路８２０を形成する吸気流路リブ部材６２４、６２５とを備える。【選択図】図１
2015018052.tif 000002
【特許請求の範囲】
【請求項１】
画像形成装置本体が設置できる設置面を備えるベース部材と、このベース部材の外周辺部から立ち上がる状態で配置され、設置された装置本体の外装面の外側に前記外装面からあらかじめ定めた距離だけ離間して設けられる縦壁部材と、を備えたカバー部材を装着できる画像形成装置であって、
前記ベース部材は、
前記設置面の周縁部に前記画像形成装置本体に接触して前記画像形成装置本体の配置位置を設定する複数の位置決めリブ部材を備え、
前記縦壁部材は、
前記画像形成装置本体に向けて前記装置本体の前記外装面との間に前記画像形成装置本体の排気口からの排気を案内する排気流路を形成する排気流路リブ部材と、
前記排気流路を通過した排気を前記カバー部材の外部に排出する排気部と、
前記排気口からの排気を前記排気部から放出するファンを設置するファン設置部と、
前記カバー部材の外部から外気を前記吸気流路に導入する吸気部と、
前記吸気部に外気を案内する吸気流路を形成する吸気流路リブ部材と、
を備えることを特徴とする画像形成装置。
【請求項２】
前記縦壁部材は、前記画像形成装置本体の複数の前記外装面にそれぞれに対応して複数枚が配置されており、
前記ベース部材と前記縦壁部材、および複数の前記縦壁部材のうち隣接する縦壁部同士は、着脱可能な連結部で連結されることを特徴とする請求項１に記載の画像形成装置。
【請求項３】
前記排気流路および前記吸気流路の少なくとも一方にフィルターを配置したことを特徴とする請求項１に記載の画像形成装置。
【請求項４】
前記排気流路と、前記吸気流路とは、完全に分離して形成されていることを特徴とする請求項１に記載の画像形成装置。
【請求項５】
前記縦壁部材には、開口部を形成できる開閉部材を備えることを特徴とする請求項１に記載の画像形成装置。
【発明の詳細な説明】
【技術分野】
【０００１】
本発明は、騒音、臭気、粉塵が機外に漏れ出るのを防止するカバー部材が配置できる画像形成装置に関する。
【背景技術】
【０００２】
電子写真方式の画像形成装置では、機内で発生した騒音や臭気などを機外に漏らさないために内部機構を外装カバーで覆っている。中でもデスクトップ機は、ユーザーの近くに設置されることから、騒音や臭気低減のニーズが床置きの高速機に比べて一段と高い。そこで、デスクトップ機では、排気口を装置背面に配置したものや、排気方向を変更できるものがある。
【０００３】
特許文献１には、排気方向を変更するため、外装カバーに設けた排風口と、機内の空気を排気するための排風ファンと、を備え、複数の排風口と、機内に設けた排風導入部から各排風口に夫々分岐して延びる複数の排風ダクトと、排風導入部に配置されたファンと、任意の排風ダクトだけを排風導入部を介して機内と連通させる排風路選択手段と、を備えたものが記載されている。
【発明の概要】
【発明が解決しようとする課題】
【０００４】
しかし、従来の騒音や臭気を機外に漏らさないための技術では、その効果が不十分であり機外へ騒音や臭気が漏れてしまうという問題があった。また、騒音や臭気を機外に漏らさないため、外装カバーの隙間等にスポンジで目張りをしたり、厚さの厚いフィルター等を排気ファンの気流出口に設置したりすることができる。しかし、このような処置では排熱が不十分となってしまい、例えば連続使用枚数に制限が発生したり、生産性を制御により落としたりすることにより、機内温度上昇を抑制し、トナー溶融による画像品質の悪化を防ぐ必要がある。このような状態がユーザーによっては不満の対象となり、満足度を低下させてしまう。
【０００５】
さらに本体外装カバーとは別に、追加部材として、防音脱臭用の外装を装着することができる。しかし、この場合、画像形成装置本体側に取付け部を設置したり、締結用のねじ穴を開けたりするため、追加部材としての外装を取り外したとき、外観品質が良くないという問題がある。
【０００６】
また、特許文献１に記載のものは、本体への取り付けに関して、ファンの整流板の切り替え機構や取り付けが複雑であり、取り付け形状が必要であり、機器本体の隙間から騒音や臭気等がもれてしまい、ユーザーに不快感を与えてしまうこととなる。
【０００７】
本発明は上述の点にかんがみてなされたものであり、画像形成装置本体内で発生した騒音や臭気などが機外に漏れる量を低減し、画像形成装置の冷却性能を確保しつつ、機器本体に加工を必要とせず、追加のカバー部材を設置できる画像形成装置を提供することを目的とする。
【課題を解決するための手段】
【０００８】
本発明に係る画像形成装置は、画像形成装置本体が設置できる設置面を備えるベース部材と、このベース部材の外周辺部から立ち上がる状態で配置され、設置された装置本体の外装面の外側に前記外装面からあらかじめ定めた距離だけ離間して設けられる縦壁部材と、を備えたカバー部材を装着できる画像形成装置であって、前記ベース部材は、前記設置面の周縁部に前記画像形成装置本体に接触して前記画像形成装置本体の配置位置を設定する複数の位置決めリブ部材を備え、前記縦壁部材は、前記画像形成装置本体に向けて前記装置本体の前記外装面との間に前記画像形成装置本体の排気口からの排気を案内する排気流路を形成する排気流路リブ部材と、前記排気流路を通過した排気を前記カバー部材の外部に排出する排気部と、前記排気口からの排気を前記排気部から放出するファンを設置するファン設置部と、前記カバー部材の外部から外気を前記吸気流路に導入する吸気部と、前記吸気部に外気を案内する吸気流路を形成する吸気流路リブ部材と、を備えることを特徴とする。
【発明の効果】
【０００９】
本発明によれば、必要に応じてベース部材と縦壁部材からなるカバー部材を画像形成装置本体に取付けることができ、取付けたカバー部材により騒音や臭気を外部に排出するのを防止しつつ、画像形成装置本体の温度上昇を防止できる。
【図面の簡単な説明】
【００１０】
【図１】本発明に係る画像形成装置の実施形態に係る画像形成装置を示す透視斜視図である。
【図２】同画像形成装置を示す図１とは異なる方向からの透視斜視図である。
【図３】同画像形成装置に使用するカバー部材を示す透視斜視図である。
【図４】同カバー部材のベース部材に画像形成装置本体を設置した状態を示す斜視図である。
【図５】同カバー部材のベース部材を示す拡大斜視図である。
【図６】同カバー部材のベース部材を示すものであり、（ａ）は位置決めリブ部材の配置状態を示す平面図、（ｂ）は画像形成装置本体の設置状態を示す平面図である。
【図７】同カバー部材のベース部材、奥側縦壁部材、および右側縦壁部材を示す斜視図である。
【図８】同カバー部材の左側縦壁部材を示す斜視図である。
【図９】同カバー部材の縦壁同士の接続状態を示す端面図である。
【図１０】同画像形成装置の断面を示す模式図である。
【発明を実施するための形態】
【００１１】
以下、本発明を実施するための形態に係る画像形成装置について説明する。本発明の実施形態に係る画像形成装置は、電子写真式のデスクトッププリンタに適用される。画像形成装置は、入力されたデータに基づいて記録媒体である記録用紙にトナー像を形成して出力する。
【００１２】
図１は本発明に係る画像形成装置の実施形態に係る画像形成装置を示す透視斜視図、図２は同画像形成装置を示す図１とは異なる方向からの透視斜視図である。また、図３は同画像形成装置に使用するカバー部材を示す透視斜視図、図４は同カバー部材のベース部材に画像形成装置本体を設置した状態を示す斜視図である。なお、図１、図２では、奥側縦壁部材４００、右側縦壁部材５００、左側縦壁部材６００内部が透視できる状態に描いている。また、図中奥側を矢印ｙ、右側を矢印ｘ、上側を矢印ｚで示した。
【００１３】
実施形態に係る画像形成装置１００は、図１および図２に示すように、画像形成装置本体１１０に加工を施すことなく、オプションとしてカバー部材２００を装着できる。なお、カバー部材２００を取付けない状態で、画像形成装置本体１１０だけでも、画像形成を行うことができ単独で画像形成装置として使用できる。画像形成装置本体１１０にカバー部材２００を取付けることにより、騒音の低減、放出臭気の低減を図ることができる。またカバー部材２００を取り付けても、画像形成装置本体１１０の冷却性能を低減させることがない。
【００１４】
カバー部材２００は、図１、図２および図３に示すように、画像形成装置本体１１０が設置されるベース部材３００と、このベース部材３００の外周辺部から立ち上がる状態で着脱可能に配置される、複数枚、すなわち３枚の縦壁部材とから構成される。実施形態にかかる画像形成装置１００では、縦壁部材は画像形成装置本体１１０の外装面にからあらかじめ定めた距離だけ離間して、各外装面に対応して設けられる。すなわち、画像形成装置本体１１０の手前側と反対側の奥側（ｙ方向）に配置される奥側縦壁部材４００、手前側から見て右側（ｘ方向）に配置される右側縦壁部材５００、同じく左側（ｘ方向と反対方向）に配置される左側縦壁部材６００を備える。
【００１５】
カバー部材２００を画像形成装置本体１１０に設置するとき、ベース部材３００に画像形成装置本体１１０を載せ、ベース部材３００の３方の周縁部に、奥側縦壁部材４００、右側縦壁部材５００、左側縦壁部材６００を配置する。このため、ベース部材３００の周縁には固定部３４０が形成され、奥側縦壁部材４００、右側縦壁部材５００、左側縦壁部材６００の下端部には固定部３４０に取付ける連結部として固定突起４１０、５１０、６１０が形成されている。
【００１６】
ベース部材３００の固定部３４０と固定突起４１０、５１０、６１０とは、ねじ部材、またはスナップフィットで固定される。また、隣接して配置される縦壁部同士、すなわち奥側縦壁部材４００と右側縦壁部材５００、奥側縦壁部材４００と左側縦壁部材６００とは、それぞれの側端部に形成した連結部である縦壁接合部４１１、５１１、６１１で接合される。縦壁接合部４１１、５１１、６１１同士は、ねじ部材、またはスナップフィットで固定する。なお、これらの固定は弾性的に結合させる等、公知のものでもよい。
【００１７】
また、右側縦壁部材５００には、画像形成装置本体１１０に形成された開閉扉１４０に合わせて開閉扉５５０が配置される。画像形成装置本体１１０の手前側には、用紙トレイの引出１２０、操作パネル１３０等の操作部等が配置されており、正面側を縦壁部材が設けられない正面側に配置される（図４参照）。
【００１８】
画像形成装置本体１１０の外装パネル１１１の右側パネル１１２には、画像形成装置本体１１０の機内から排気を送り出す排気部である排気ルーバー１２１、１２２が形成されている。また画像形成装置本体１１０の左側パネル１１３には機内から排気を送り出す排気ルーバー１２３と、機内に外気を導入する吸気部である吸気ルーバー１２４、１２５が形成されている。
【００１９】
カバー部材２００の奥側縦壁部材４００には、画像形成装置本体１１０からの排気が最終的に排出される排気口である排気ダクト７５０、および排気ファンを取付ける排気ファン設置部７６０が形成される。また奥側縦壁部材４００には、画像形成装置本体１１０内に外気を導入する吸気口である吸気ダクト８１０が形成されている。排気ファン設置部７６０には、大口径で静かなファンを配置できる。このカバー部材２００では、排気ダクト７５０には、画像形成装置本体１１０から排出される臭気、粉塵等を除去するフィルター７７０を配置する。なお、フィルターを配置しない場合でも、排気ダクト７５０を奥側縦壁部材４００に配置しているので、ユーザーの操作位置から離れた箇所に排気を出すことができるので、臭気、粉塵による不快感を軽減することができる。また、フィルターは排気流路および吸気流路の少なくとも一方に配置できる。吸気経路にフィルターを配置すると、画像形成装置本体１１０機内への塵埃の進入を防止できる。
【００２０】
画像形成装置本体１１０にカバー部材２００を取付けると、画像形成装置本体１１０とカバー部材２００との間に、排気ルーバー１２１、１２２、１２３から排気ダクト７５０に空気を導く排気流路７１０、７２０、７３０、７４０が形成される。また、同様に、画像形成装置本体１１０とカバー部材２００との間に、吸気ダクト８１０からの空気を吸気ルーバー１２４、１２５に導く吸気流路８２０が形成される。ここで、排気流路７１０、７２０は、右側縦壁部材５００から奥側縦壁部材４００にかけて設けられる。排気流路７３０は左側縦壁部材６００から奥側縦壁部材４００にかけて設けられ、排気流路７４０は奥側縦壁部材４００に設けられる。
【００２１】
さらに、吸気流路８２０は、奥側縦壁部材４００から左側縦壁部材６００にかけて設けられる。なお、排気流路７１０、７２０、７３０、７４０、吸気流路８２０の経路は、画像形成装置本体１１０に配置される排気ルーバーや吸気ルーバーの位置等に応じて適宜変更できる。
【００２２】
次にカバー部材２００を構成するベース部材３００、奥側縦壁部材４００、右側縦壁部材５００について説明する。まずベース部材３００について説明する。図５は同カバー部材のベース部材を示す拡大斜視図、図６は同カバー部材のベース部材を示すものであり、（ａ）は位置決めリブ部材の配置状態を示す平面図、（ｂ）は画像形成装置本体の設置状態を示す平面図である。ベース部材３００は、合成樹脂で形成され、画像形成装置本体１１０が設置できる設置面３１０を備える。設置面３１０の周縁には立上部３２０が配置されている。なお、右側縦壁部材５００の開閉扉７００が配置された箇所には立ち上がり部は形成されていない。
【００２３】
また、ベース部材３００は、設置面３１０の周縁部に前記画像形成装置本体に接触して前記画像形成装置の配置位置を設定する複数の位置決めリブ部材３３０が形成される。位置決めリブ部材３３０は、設置面３１０の左側に３箇所、奥側に３箇所、右側に１箇所形成されている。また、位置決めリブ部材３３０は設置面３１０と立上部３２０とに接続されて形成される。図４および図５に示すように、ベース部材３００の設置面３１０に画像形成装置本体１１０を設置すると、位置決めリブ部材３３０が画像形成装置本体１１０の下部周面に接触してベース部材３００上における画像形成装置本体１１０の位置が定まる。画像形成装置本体１１０をカバー部材２００に設置した状態を図４に示した。
【００２４】
また、ベース部材３００の立上部３２０には、奥側縦壁部材４００、右側縦壁部材５００および左側縦壁部材６００を取付けて固定するための固定部３４０が形成されている。固定部３４０は、奥側縦壁部材４００、右側縦壁部材５００、左側縦壁部材６００の下側縁部に形成された固定突起４１０、５１０、６１０と組み合わされ、ねじどめ、スナップ止めされる。これにより、奥側縦壁部材４００、右側縦壁部材５００、左側縦壁部材６００は、ベース部材３００の立上部３２０に固定される。
【００２５】
次に奥側縦壁部材４００について説明する。奥側縦壁部材４００は、合成樹脂で形成され、上述した固定突起４１０、排気ダクト７５０、排気ファン設置部７６０が形成されている。また、奥側縦壁部材４００には、排気流路７１０、７２０、７３０、７４０を形成する排気流路リブ部材４２１、４２２、４２３、４３４、４２５、４２６、４２７、４２８が画像形成装置本体１１０側に向けて形成されている。
【００２６】
排気流路リブ部材４２１、４２２は、排気流路７１０を形成し、排気流路リブ部材４２３、４２４は排気流路７２０を形成する。また、排気流路リブ部材４２５、４２６は排気流路７４０を形成し、排気流路リブ部材４２７、４２８は排気流路７３０を形成する。なお、排気流路リブ部材４２８は、吸気流路８２０を形成する吸気流路リブ部材としての役割を果たす。さらに、奥側縦壁部材４００の両側端部には、右側縦壁部材５００、左側縦壁部材６００と接続するための縦壁部材接続部４３０が形成されている。
【００２７】
次に右側縦壁部材５００について説明する。図７は同カバー部材のベース部材、奥側縦壁部材、および右側縦壁部材を示す斜視図である。図３および図７に示すように、右側縦壁部材５００は、開口部を形成する開閉部材として開閉扉５５０を備えている。開閉扉５５０は、縦方向にならんで配置されたヒンジ部５６０で右側縦壁部材５００に開閉自在に接続されている。また、開閉扉５５０には、開閉扉５５０の剛性を保持するため、補強リブ５５１が配置されている。開閉扉１４０を開くときには、まず開閉扉５５０を開けばよい。このため、画像形成装置本体１１０のメンテナンス性を低下させることがない。
【００２８】
また、右側縦壁部材５００には、排気流路７１０を形成する排気流路リブ部材５２１、５２２、５２３、排気流路７２０を形成する排気流路リブ部材５２４、５２５、５２６が形成されている。排気流路リブ部材５２１、５２２、５２３は、排気ルーバー１２１からの排気を導き奥側縦壁部材４００側に案内する。また、排気流路リブ部材５２４、５２５、５２６は、排気ルーバー１２２からの排気を奥側縦壁部材４００側に案内する。ここで、奥側縦壁部材４００と右側縦壁部材５００とを組み立てた状態で、排気流路リブ部材５２２、５２３は、奥側縦壁部材４００の排気流路リブ部材４２１、４２２と、排気流路リブ部材５２５、５２６は、同じく排気流路リブ部材４２３、４２４に接続される。
【００２９】
このような構成により、排気ルーバー１２１、１２２からの排気は、排気流路７１０、７２０から排気ファン設置部７６０に配置されたファンで排気され、排気ダクト７５０から排気される。このとき、排気はフィルター７７０を通過する。
【００３０】
次に、左側縦壁部材６００について説明する。図８は同カバー部材の左側縦壁部材を示す斜視図である。左側縦壁部材６００には、左側縦壁部材６００の剛性を確保するための補強リブ６３１が設けられている。排気流路７３０を形成する排気流路リブ部材６２１、６２２、６２３が形成されている。この排気流路リブ部材６２１、６２２、６２３は、排気ルーバー１２３からの排気を導き奥側縦壁部材４００側に案内する。また、奥側縦壁部材４００には、吸気流路８２０を形成する吸気流路リブ部材６２４、６２５が形成されている。この吸気流路リブ部材６２４、６２５は、排気流路リブ部材６２３と共に吸気流路８２０を形成する。ここでは、排気流路リブ部材６２３は、吸気流路リブ部材としての役割を果たしている。奥側縦壁部材４００と左側縦壁部材６００とを組み立てた状態で、排気流路リブ部材６２２、６２３は、奥側縦壁部材４００に形成された排気流路リブ部材４２８と接続される。
【００３１】
このような構成により、排気ルーバー１２３からの排気は、排気流路７３０から排気ファン設置部７６０に配置されたファンで排気され、排気ダクト７５０から排気される。このとき、排気はフィルター７７０を通過する。また、吸気ダクト８１０からの外気は、吸気流路８２０を経て吸気ルーバー１２４、１２５に吸入される。以上のような構成により、画像形成装置１００では、排気流路７１０、７２０、７３０、７４０と、吸気流路８２０とは、完全に分離した状態で形成される。これにより、高い効率で排気および吸気を行うことができる。
【００３２】
次に奥側縦壁部材４００、右側縦壁部材５００、左側縦壁部材６００の接続について説明する。図９は同カバー部材の縦壁同士の接続状態を示す端面図である。上述のように、奥側縦壁部材４００、右側縦壁部材５００、左側縦壁部材６００の縦方向の端部には、縦壁接合部４１１、５１１、６１１が形成されている。図９に示した例では、奥側縦壁部材４００の縦壁接合部４１１を右側縦壁部材５００の縦壁接合部５１１にはめ込み、ねじ止めする。なお、この接合は、ねじ止めに限らず、スナップフィット、その他の接合手段を使用するか、縦壁接合部４１１、５１１どうしが弾性的に固着できる構造とすることができる。
【００３３】
以上のように、本実施形態に係る画像形成装置１００によれば、以下のような効果を有する。図１０は同画像形成装置の断面を示す模式図である。本実施形態に係る画像形成装置１００によれば、図１０（ａ）に示すように、画像形成装置本体１１０の外装１５１の外側に空気層を隔ててカバー部材２００の縦壁部材２０１が配置されているので、画像形成装置本体１１０の騒音を空気層で吸収することができる。
【００３４】
また、画像形成装置本体１１０内の排気はファン１５２で排出されるに際して、空気層に形成されている排気流路を通ってカバー部材２００の外部に至る。実施形態に係る画像形成装置１００では、画像形成装置本体１１０とカバー部材２００との間に排気流路を構成しているので、カバー部材２００に静かな大口径ファンを配置することで、効率的な排熱が可能となる。また、臭気も、カバー部材２００に配置する大口径ファンまでの排気流路を確保すること、およびフィルターを設置することで、低減することができる。
【００３５】
また、カバー部材２００は、画像形成装置本体１１０に追加して設置することができるので、必要に応じてカバー部材２００を使用するか使用しないかを選択でき、ユーザーの選択肢を広げることができる。
【符号の説明】
【００３６】
１００：画像形成装置
１１０：画像形成装置本体
１１１：外装パネル
１１２：右側パネル
１１３：左側パネル
１２０：引出
１２１、１２２、１２３：排気ルーバー
１２４、１２５：吸気ルーバー
１３０：操作パネル
１４０：開閉扉
１５１：外装
１５２：ファン
２００：カバー部材
２０１：縦壁部材
３００：ベース部材
３１０：設置面
３２０：立上部
３３０：位置決めリブ部材
３４０：固定部
４００：奥側縦壁部材
４１０、５１０、６１０：固定突起
４１１、５１１、６１１：縦壁接合部
４２１、４２２、４２３、４３４、４２５、４２６、４２７、４２８：排気流路リブ部材
５００：右側縦壁部材
５１１：縦壁接合部
５２１、５２２、５２３：排気流路リブ部材
５２４、５２５、５２６：排気流路リブ部材
５５０：開閉扉
５５１：補強リブ
５６０：ヒンジ部
６００：左側縦壁部材
６２１、６２２、６２３：排気流路リブ部材
６２４、６２５：吸気流路リブ部材
６３１：補強リブ
７００：開閉扉
７１０、７２０、７３０、７４０：排気流路
７５０：排気ダクト
７６０：排気ファン設置部
７７０：フィルター
８１０：吸気ダクト
８２０：吸気流路
【先行技術文献】
【特許文献】
【００３７】
【特許文献１】特開２００３−２８０４９４公報
【図１】
2015018052.tif 000003
【図２】
2015018052.tif 000004
【図３】
2015018052.tif 000005
【図４】
2015018052.tif 000006
【図５】
2015018052.tif 000007
【図６】
2015018052.tif 000008
【図７】
2015018052.tif 000009
【図８】
2015018052.tif 000010
【図９】
2015018052.tif 000011
【図１０】
2015018052.tif 000012